(57)【要約】【課題】通信すべき通信相手の誤認を抑制すること。【解決手段】電子ペーパ２０に設けられたＲＦＩＤタグ２０４について、記録装置と、記録装置に保持されている電子ペーパ２０のＲＦＩＤタグ２０４とでは通信を行い、記録装置に保持されていない他の電子ペーパ２０のＲＦＩＤタグ２０４とは通信を行わないようにするために、電子ペーパ２０にアンテナ２０３を設ける。そして、電子ペーパ２０が記録装置に保持されているときには、アンテナ２０３をＲＦＩＤリーダライタ部のアンテナとして使用する。【選択図】図１
2010118013.tif 000002
【特許請求の範囲】
【請求項１】
無線信号を送受信する第１のアンテナと、
無線信号を送受信する第２のアンテナと、
前記第１のアンテナ、および前記第1のアンテナの無線通信範囲に設けられた前記第２のアンテナを有し、内部に当該無線通信範囲全体が含まれるように構成された保持体と、
外部装置が接続される端子であって、接続される前記外部装置から入力される要求信号を前記第１のアンテナから送信させる一方、前記第１のアンテナによって受信される応答信号を前記外部装置に出力する端子と、
前記第２のアンテナによって前記要求信号が受信されると、当該要求信号に応じた応答信号を前記第２のアンテナから送信させる応答手段と
を具備することを特徴とする通信装置。
【請求項２】
請求項１に記載の通信装置と、
前記保持体に設けられ、前記端子を介して前記外部装置から予め設定された電圧が印加されているときに照射される光に応じて記録される画像を表示する表示部と
を具備することを特徴とする表示媒体。
【請求項３】
前記端子を介して前記外部装置から印加される電圧を、前記表示部に対して印加する電極をさらに具備し、
前記第１のアンテナは、前記電極の材料で形成されている
ことを特徴とする請求項２に記載の表示媒体。
【請求項４】
請求項１に記載の通信装置を保持する保持手段と、
前記保持手段によって前記通信装置が保持されると、前記端子に接続する接続手段と、
前記接続手段によって接続された端子に対して、要求信号を入力する入力手段と、
前記接続手段によって接続された端子から、前記要求信号に応答して出力される応答信号を取得する取得手段と
を具備することを特徴とする通信制御装置。
【請求項５】
請求項２または請求項３に記載の表示媒体を保持する保持手段と、
前記保持手段によって前記表示媒体が保持されると、前記端子に接続する接続手段と、
前記接続手段によって接続された端子に対して、要求信号を入力する入力手段と、
前記接続手段によって接続された端子から、前記要求信号に応答して出力される応答信号を取得する取得手段と、
前記表示部に表示される画像を記録するときに、前記接続手段によって接続された端子に対して、予め設定された電圧を印加する記録電圧印加手段と
を具備することを特徴とする記録装置。
【発明の詳細な説明】
【技術分野】
【０００１】
本発明は、通信装置、表示媒体、通信制御装置および記録装置に関する。
【背景技術】
【０００２】
特許文献１に開示されているＲＦＩＤ（Radio Frequency IDentification）を組み込んだ表示媒体を用いて、様々なアプリケーションへの応用が行われている。
【特許文献１】特開２００４−１０２８４０号公報
【発明の開示】
【発明が解決しようとする課題】
【０００３】
本発明は、通信すべき通信相手の誤認を抑制することを目的とする。
【課題を解決するための手段】
【０００４】
本発明の請求項１に係る通信装置は、無線信号を送受信する第１のアンテナと、無線信号を送受信する第２のアンテナと、前記第１のアンテナ、および前記第1のアンテナの無線通信範囲に設けられた前記第２のアンテナを有し、内部に当該無線通信範囲全体が含まれるように構成された保持体と、外部装置が接続される端子であって、接続される前記外部装置から入力される要求信号を前記第１のアンテナから送信させる一方、前記第１のアンテナによって受信される応答信号を前記外部装置に出力する端子と、前記第２のアンテナによって前記要求信号が受信されると、当該要求信号に応じた応答信号を前記第２のアンテナから送信させる応答手段とを具備することを特徴とする。
【０００５】
本発明の請求項２に係る通信装置は、請求項１に記載の通信装置と、前記保持体に設けられ、前記端子を介して前記外部装置から予め設定された電圧が印加されているときに照射される光に応じて記録される画像を表示する表示部とを具備することを特徴とする。
【０００６】
本発明の請求項３に係る表示媒体は、請求項２の構成において、前記端子を介して前記外部装置から印加される電圧を、前記表示部に対して印加する電極をさらに具備し、前記第１のアンテナは、前記電極の材料で形成されていることを特徴とする。
【０００７】
本発明の請求項４に係る通信制御装置は、請求項１に記載の通信装置を保持する保持手段と、前記保持手段によって前記通信装置が保持されると、前記端子に接続する接続手段と、前記接続手段によって接続された端子に対して、要求信号を入力する入力手段と、前記接続手段によって接続された端子から、前記要求信号に応答して出力される応答信号を取得する取得手段とを具備することを特徴とする。
【０００８】
本発明の請求項５に係る記録装置は、請求項２または請求項３に記載の表示媒体を保持する保持手段と、前記保持手段によって前記表示媒体が保持されると、前記端子に接続する接続手段と、前記接続手段によって接続された端子に対して、要求信号を入力する入力手段と、前記接続手段によって接続された端子から、前記要求信号に応答して出力される応答信号を取得する取得手段と、前記表示部に表示される画像を記録するときに、前記接続手段によって接続された端子に対して、予め設定された電圧を印加する記録電圧印加手段とを具備することを特徴とする。
【発明の効果】
【０００９】
請求項１に記載の発明によれば、外部装置と通信すべき通信装置の誤認を抑制することができる。
請求項２に記載の発明によれば、通信装置を有する表示媒体および外部装置を接続する端子の数を減らすことができる。
請求項３に記載の発明によれば、第１のアンテナの形成を容易に行うことができる。
請求項４に記載の発明によれば、通信すべき通信装置の誤認を抑制することができる。
請求項５に記載の発明によれば、通信すべき通信装置を有する表示媒体の誤認を抑制することができる。
【発明を実施するための最良の形態】
【００１０】
以下、本発明の一実施形態について説明する。
【００１１】
＜実施形態＞
図１は、本発明の一実施形態に係る電子ペーパ２０についての説明図である。この例においては、電子ペーパ２０は、照射された光に応じて記録される画像を表示する光記録型の表示媒体であって、表示装置２１および通信装置２２を有し、それぞれフレーム２０６に固定されている。表示装置２１は、電極２０１と表示部２０５を有する。通信装置２２は、電極２０２、アンテナ２０３およびＲＦＩＤタグ２０４を有する。まず、電子ペーパ２０の通信装置２２について説明する。
【００１２】
図２は電子ペーパ２０のアンテナ２０３とＲＦＩＤタグ２０４との位置関係を示す電子ペーパ２０の断面の構成を説明する図である。
【００１３】
２個の電極２０２は、後述するアンテナ２０３の両端の端子にそれぞれ接続されている。また、電極２０２は、後述するフレーム２０６によって外部から電気的に接続可能な状態で固定されている。電極２０２は、後述する記録装置１０に電子ペーパ２０を保持させたときに、記録装置１０の電極１５１と電気的に接触する位置に配置され、記録装置１０との接続端子として機能する。
【００１４】
アンテナ２０３は、上述のように両端がそれぞれ電極２０２に接続され、導電率の高い金属などにより、平面状に渦を巻くように形成されている。アンテナ２０３は、後述するようにして電極２０２に接続される記録装置１０のＲＦＩＤリーダライタ部１５０（図５参照）から入力される信号（後述する要求信号）に応じて電波を発生し、ＲＦＩＤタグ２０４と無線通信を行う。また、後述するＲＦＩＤタグ２０４から受信した信号（後述する応答信号）を、接続されるＲＦＩＤリーダライタ部１５０に出力する。この無線通信は、例えば１３．５６ＭＨｚ帯の電波を用いるが、他の周波数帯域を用いてもよく、他の周波数帯域を用いる場合には、アンテナ２０３の形状は、その周波数帯域に対応した公知の形状とすればよい。この例においては、アンテナ２０３は、図２に示すように、後述するＲＦＩＤタグ２０４と重なるように、また、ＲＦＩＤタグ２０４とは予め設定された距離だけ離れて設けられている。
【００１５】
ＲＦＩＤタグ２０４は、アンテナ２０３に接続されるＲＦＩＤリーダライタ部１５０と無線通信を行う。以下、ＲＦＩＤタグ２０４の構成について、図３を用いて説明する。
【００１６】
図３は、ＲＦＩＤタグ２０４の構成を示すブロック図である。ＲＦＩＤタグ２０４は、制御部２０４ａ、記憶部２０４ｂ、送受信部２０４ｃ、電源部２０４ｄ、アンテナ２０４ｅ、バス２０４ｆを備える。
【００１７】
制御部２０４ａは、ＣＰＵ（Central Processing Unit）などの演算装置を備え、記憶部２０４ｂに記憶された制御プログラムを実行することにより、バス２０４ｆを介して、ＲＦＩＤタグ２０４を構成している各部の動作を制御する。
【００１８】
記憶部２０４ｂは、ＲＯＭ（Read Only Memory）、ＲＡＭ（Random Access Memory）、ＥＥＰＲＯＭ（Electrically Erasable Programmable ROM）などの半導体メモリで構成され、制御部２０４ａが実行する制御プログラム、電子ペーパ２０に付随する情報などを記憶する。電子ペーパ２０に付随する情報とは、例えば、電子ペーパ２０の累積書き換え回数値や、所有者の名称や、電子ペーパ２０に表示されている画像の題名および作者名などである。また、制御部２０４ａがプログラムを実行するときの作業用データを格納する。
【００１９】
送受信部２０４ｃは、アンテナ２０４ｅを介して、外部装置、この例においてはアンテナ２０３に接続されたＲＦＩＤリーダライタ部１５０と通信を行う。送受信部２０４ａは、アンテナ２０４ｅによって受信した電波に係る要求信号を取得し、その信号を復調して受信情報に変換し、制御部２０４ａに出力する。また、送受信部２０４ａは、受信情報に応答して制御部２０４ａの制御によって出力される送信情報を取得し、その送信情報に応じて変調された応答信号をアンテナ２０４ｅに出力する。例えば、要求信号を復調して得られる受信情報が、記憶部２０４ｂに記憶されている情報の送信を要求する内容であった場合、制御部２０４ｅは、その応答として、記憶部２０４ｂに記憶されている情報を読み出して、読み出した情報に応じて送信情報を生成、出力する。
【００２０】
電源部２０４ｄは、外部より受信した電波のエネルギを電力に変換して、バス２０４ｆを介してＲＦＩＤタグ２０４を構成している各部に電力を供給する。このように、この例においては、ＲＦＩＤタグ２０４は、パッシブ型であるが、電池などの電力源を有するアクティブ型であってもよい。
【００２１】
アンテナ２０４ｅは、導電率の高い金属などにより、平面状に渦を巻くように形成され、その両端が送受信部２０４ｃに接続されている。アンテナ２０４ｅは、送受信部２０４ｃから入力された応答信号に応じた電波を発生し、また、アンテナ２０３から受信した要求信号を出力する。
【００２２】
なお、ＲＦＩＤタグ２０４は、汎用のＲＦＩＤタグの機能を有しているから、アンテナ２０３に接続されたＲＦＩＤリーダライタ部１５０と通信を行うだけでなく、アンテナを有する汎用のＲＦＩＤリーダライタとの通信を、アンテナ２０４ｅを介して行ってもよい。以上が、ＲＦＩＤタグ２０４の構成の説明、および通信装置２２の構成についての説明である。
【００２３】
次に、電子ペーパ２０の表示装置２１の構成について説明する。２個の電極２０１は、後述する電子ペーパ２０の表示部２０５の内部を構成する透明電極２２０、２６０にそれぞれ電気的に接続されている。また、電極２０１は、フレーム２０６によって外部から電気的に接続可能な状態で固定されている。電極２０１は、後述する記録装置１０に電子ペーパ２０を保持させたときに、記録装置１０の電極１３１と電気的に接触する位置に配置され、記録装置１０との接続端子として機能する。次に、表示装置２１の表示部２０５の構成について説明する。
【００２４】
図４は、表示装置２１の表示部２０５の断面の構成を説明する図である。表示部２０５は、フィルム基板２１０、２７０、透明電極２２０、２６０、光導電層２３０、着色層２４０、表示層２５０で構成される。
【００２５】
表示部２０５は、電子ペーパ２０に画像の記録や表示を行う領域である。表示部２０５はフレーム２０６に保持されている。この例においては、記録された画像の表示を行う表示面２０ａと、後述する記録光源１４１からの光を照射して画像の記録を行う記録面２０ｂが電子ペーパ２０における対向した面のそれぞれに対応している。なお、表示面２０ａと記録面２０ｂが同一の面にある電子ペーパ２０を用いても良い。
【００２６】
フィルム基板２１０、２７０は、電子ペーパ２０の表面を保護するために設けられた層であり、例えばＰＥＴ（ポリエチレンテレフタレート）により構成される。フィルム基板２１０は記録面２０ｂ側であり記録光を照射する側の面である。フィルム基板２７０は表示面２０ａ側であり記録された画像を使用者が観察する側の面である。
【００２７】
透明電極２２０、２６０は、例えばＩＴＯ（酸化インジウム錫）から構成される層である。上述したように、透明電極２２０、２６０に接続された電極２０１と、記録装置１０の電極１３１とが電気的に接続され、制御部１１０の制御により電圧印加部１３０が電極１３１に電圧を印可すると、透明電極２２０、２６０間に電位差が生じる。光導電層２３０は、照射される光の強度に応じてその導電率を異ならせる導電体の層である。光導電層２３０は、例えば有機光導電体を用いる。着色層２４０は、表示層２５０が光を通過する場合に観察される層であり、あらかじめ決められた色、例えば黒色になっている。
【００２８】
表示層２５０は印加される電圧に応じて光の反射状態を異ならせる表示素子を含む層である。表示層２５０は、バインダー樹脂中にマイクロカプセル状のコレステリック液晶表示素子を分散させたものである。コレステリック液晶表示素子は、配向状態として、プレーナ配向状態とフォーカルコニック配向状態とになりうる。コレステリック液晶表示素子は、プレーナ配向状態の場合は光を反射（ブラッグ反射）して、あらかじめ決められた色を呈し、フォーカルコニック配向状態にある場合は光を透過して着色層２４０の色を呈する。以上が表示部２０５における各構成の説明である。
【００２９】
フレーム２０６は、上述のように、表示装置２１および通信装置２２の各部を保持する。また、フレーム２０６は、外光が透過せず、４つの電極２０１、２０２間が電気的に短絡しないように絶縁する部材で構成されている。以上が、電子ペーパ２０の構成の説明である。
【００３０】
次に、記録装置１０の構成について説明する。図５は、本発明の一実施形態である記録装置１０の構成を示すブロック図である。同図に示す記録装置１０は、上述した電子ペーパ２０に画像の記録、消去（初期化）を行う装置であって、制御部１１０、記憶部１２０、電圧印加部１３０、記録光発生部１４０、ＲＦＩＤリーダライタ部１５０、情報取得部１６０を備える。
【００３１】
制御部１１０は、ＣＰＵなどの演算装置を備え、記憶部１２０に記憶された制御プログラムを実行することでバス１７０を介して記録装置１０を構成している各部の動作を制御する。
【００３２】
記憶部１２０は、例えば、ＨＤＤ（Hard Disk Drive）、ＲＯＭ、ＲＡＭなどで構成され、制御部１１０が実行する制御プログラムや、電子ペーパ２０に記録して表示させる画像を示す画像情報を記憶する。また、制御部１１０がプログラムを実行するときの作業用データを格納する。また、後述のように、取得したＲＦＩＤタグ２０４に記憶されている情報についても、制御部１１０によって記憶される。なお、制御プログラム、画像情報は、後述する情報取得部１６０から得て、記憶部１２０に記憶してもよい。
【００３３】
電圧印加部１３０は、電極１３１を有し、電極１３１に対して電圧印加を行う。電子ペーパ２０が記録装置１０に保持されると、電子ペーパ２０の電極２０１と、電圧印加部１３０の電極１３１とが電気的に接触し、電子ペーパ２０に対して画像の記録や初期化を行うときには、電極１３１、２０１を介して電子ペーパ２０の透明電極２２０、２６０間に、制御部１１０の制御に応じた電圧を印加する。
【００３４】
記録光発生部１４０は、記録光源１４１を備え、電子ペーパ２０に画像を記録するときや、初期化するときに照射する光を発生する。この例においては、記録光源１４１として複数のＬＥＤ（Light Emitting Diode）が線状に配置され、画像を記録する解像度に応じた範囲に各ＬＥＤの光を収束するレンズを備えたＬＥＤアレイを用いた。制御部１１０により各ＬＥＤの明滅が制御されるとともに、電子ペーパ２０の記録面２０ｂに沿って移動するように制御されることで、電子ペーパ２０の記録面２０ｂに対して記録光を走査して照射する。なお、ＬＥＤアレイを用いて線状の記録光を走査するだけでなく、半導体レーザなどを用いたスポット状の記録光を回転するポリゴンミラーなどの反射物に反射させて、走査しても良い。また、液晶ディスプレイなどを用いて面状の記録光を発生するようにしてもよい。
【００３５】
ＲＦＩＤリーダライタ部１５０は、電極１５１を有し、制御部１１０の制御により電極１５１に対する要求信号の出力を行い、また電極１５１から応答信号を取得して制御部１１０に出力する。電子ペーパ２０が記録装置１０に保持されると、電子ペーパ２０の電極２０２と、電極１５１とが電気的に接触し、ＲＦＩＤリーダライタ部１５０は、電極１５１、２０２を介して、後述する電子ペーパ２０に内蔵されたアンテナ２０３とが接続される。
【００３６】
要求信号は、例えば、上述したようにＲＦＩＤタグ２０４に記憶されている情報の出力の要求、また、ＲＦＩＤタグ２０４への情報の記録の要求（記録内容を含む）など、後述する電子ペーパ２０に内蔵されたＲＦＩＤタグ２０４に対して各種処理を要求する信号である。また、応答信号は、ＲＦＩＤタグ２０４に対する要求信号の応答として、ＲＦＩＤタグ２０４から送信される信号であって、例えば、ＲＦＩＤタグ２０４に記憶されている情報、情報記録要求に応じて情報の記録を完了したことなどを示す信号である。
【００３７】
この例においては、ＲＦＩＤリーダライタ部１５０に接続されたアンテナ２０３と、ＲＦＩＤタグ２０４とで行われる要求信号、応答信号の通信は、上述のように、１３．５６ＭＨｚ帯の電波に対して、要求信号、応答信号に応じた変調などを行うことにより実現する。ここで、要求信号の出力レベルは、アンテナ２０３とＲＦＩＤタグ２０４との距離に応じて設定され、例えば、アンテナ２０３からの電波による無線通信範囲内にＲＦＩＤタグ２０４が位置する関係となる出力レベル以上になるように設定されている。また、出力レベルの上限については、記録装置１０に保持されていない他の電子ペーパ２０が有するＲＦＩＤタグ２０４が無線通信範囲外になるように設定される。例えば、無線通信範囲が電子ペーパ２０の外側に広がらないように設定し、内部に当該無線通信範囲全体が含まれるようにすることが望ましい。
【００３８】
このように、ＲＦＩＤリーダライタ部１５０は、単独ではＲＦＩＤタグ２０４と無線通信を行うことはできず、電子ペーパ２０のアンテナ２０３と接続することによって、ＲＦＩＤタグ２０４との無線通信を実現する。
【００３９】
情報取得部１６０は、記録装置１０の外部より制御プログラムや、画像情報を取得する。情報取得部１６０は、図示しない操作部を利用者が操作するなどして、記録装置１０に対して行う命令を制御部１１０に通知する。例えば「電子ペーパ２０への画像記録」とか「記録装置１０の電源ＯＦＦ」などである。なお、情報取得部１６０は、記録装置１０の動作情報、保持している電子ペーパ２０のＲＦＩＤタグ２０４から取得した情報に応じて、図示しない表示画面などに表示してもよい。
【００４０】
情報取得部１６０は、有線、無線などによる通信手段を用いて情報取得の機能を実現する。なお、記録装置１０の外部より、各種情報を取得する機能があれば、通信手段に限らず、ＵＳＢメモリ、メモリカードなどの半導体メモリや、ＣＤ−ＲＯＭやＤＶＤなどの光ディスクなどから取得するインターフェースを用いても良い
【００４１】
図６は、記録装置１０を側面から見た内部構成を説明する図である。図２に示す記録装置１０は電子ペーパ２０を保持している。
【００４２】
筐体１０１ａは、記録装置１０のケースであり、記録装置１０の構成する各部を保持し、記録装置１０内部に外光が入らないように遮光を行い、電気的な短絡が起きないように絶縁を行う樹脂などで構成される。筐体１０１ａは、透明板１０２とともに内部空間を構成し、制御部１１０の制御によって記録光源１４１は、内部空間内をＡＲ１方向に移動し、記録面２０ｂに対して記録光を走査して照射する。
【００４３】
筐体１０１ｂは、電子ペーパ２０を保持し、電子ペーパ２０を保持したときには、電極１３１が電子ペーパ２０の電極２０１と接続され、電極１５１が電子ペーパ２０の電極２０２と接続されるように、電極１３１、１５１が設けられている。
【００４４】
透明板１０２は、記録装置１０に保持されている電子ペーパ２０の記録面２０ｂに対して、筐体１０１ａの内部空間から後述する記録光源１４１によって照射される記録光を通過させる光学ガラスや透明樹脂などの透光性部材である。透明板１０２を構成する透光性部材は、例えば記録光を低損失で通過させ、光の歪みの少ない物性であることが望ましい。以上が、記録装置１０の構成についての説明である。
【００４５】
次に、本実施形態の記録装置１０および電子ペーパ２０の動作を説明する。
【００４６】
まず、利用者は、記録装置１０に電子ペーパ２０を保持させる。その手順は、電子ペーパ２０をその記録面２０ｂが、透明板１０２と向かい合うようにして記録装置１０に置く。また、電子ペーパ２０をその電極２０１、２０２がある辺と、記録装置１０の電極１３１、１５１がある辺を対応させて、筐体１０１ｂに保持させることにより、電極２０１と電極１３１を接続させるとともに、電極２０２と電極１５１を接続させる。この状態を表したものが図６である。これにより、アンテナ２０３とＲＦＩＤリーダライタ部１５０とが接続される。
【００４７】
制御部１１０は、記録装置１０に電子ペーパ２０を保持したことを認識すると、ＲＦＩＤリーダライタ部１５０を制御して、ＲＦＩＤタグ２０４に記憶されている情報の出力の要求を示す要求信号をアンテナ２０３から送信させる。ここで、制御部１１０による電子ペーパ２０の保持の認識は、電子ペーパ２０が保持されたことを検出するセンサなどを用いて行なえばよい。
【００４８】
ＲＦＩＤタグ２０４は、アンテナ２０３から送信された要求信号を受信すると、制御部２０４ａの制御により、記憶部２０４ｂに記憶されている情報を応答信号として、アンテナ２０４ｅから送信する。このとき、記録装置１０に保持されていない他の電子ペーパ２０のＲＦＩＤタグ２０４は、アンテナ２０３の通信範囲外になり、アンテナ２０３から送信された要求信号を受信しないから、ＲＦＩＤリーダライタ部１５０において、他の電子ペーパ２０のＲＦＩＤタグ２０４に係る応答信号を取得することは無い。
【００４９】
ＲＦＩＤタグ２０４が送信した応答信号がアンテナ２０３に受信されると、制御部１１０は、ＲＦＩＤタグ２０４に記憶されている情報を取得し記憶部１２０に記憶する。そして、制御部１１０は、図示しない表示画面などにＲＦＩＤタグ２０４から受信した情報に応じた表示をして、利用者に通知する。
【００５０】
その後、制御部１１０は、利用者から「電子ペーパへの画像記録」の命令、および記録すべき画像の画像情報を取得すると、電子ペーパ２０の表示部２０５に画像の記録の制御を行う。電子ペーパ２０に画像を記録するために以下を行う。まず、電子ペーパ２０に記録された画像を消去して初期化する。これは、制御部１１０の制御によって、透明電極２２０、２６０間に予め設定されたリセット電圧を加えた状態で記録面２０ｂに対して、記録光源１４１、または図示しないリセット光源などを用いてリセット光を照射し、その後、リセット電圧の印加を停止することで行う。
【００５１】
その後、電子ペーパ２０に画像情報に応じた画像を記録する。制御部１１０は、電圧印加部１３０に記録電圧を発生させ、透明電極２２０、２６０間に予め設定された記録電圧を印加させる。制御部１１０は、その状態で記録光発生部１４０の記録光源１４１を制御して、記録面２０ｂに画像情報に応じた記録光を照射させる。その後、制御部１１０は、記録電圧の印加を停止すると記録光の照射に応じた画像が表示面２０ａに表示される。
【００５２】
そして、電子ペーパ２０のＲＦＩＤタグ２０４へ新しい情報の記録が行われる。なお、ＲＦＩＤタグ２０４への情報の記録は、電子ペーパ２０への画像の記録に対して、その前に行っても良いし、後に行ってもよいし、画像の記録中に行ってもよい。
【００５３】
制御部１１０は、記憶部１２０からＲＦＩＤタグ２０４に記録する情報を読み出して、ＲＦＩＤリーダライタ部１５０に出力する。ＲＦＩＤタグ２０４に記録する情報とは、例えば電子ペーパ２０に記録する画像に係る画像情報のファイル名、画像情報に従属する情報、ＲＦＩＤタグ２０４から取得した電子ペーパ２０の累積書き換え回数に１を加算した数値を示す情報などである。
【００５４】
ＲＦＩＤリーダライタ部１５０は、記録すべき情報および情報の記録の要求を示す要求信号を出力し、アンテナ２０３から送信する。ＲＦＩＤタグ２０４は、アンテナ２０３から送信された要求信号を受信すると、制御部２０４ａの制御により、記憶部２０４ｂに要求情報に係る情報を記録し、記録したことを示す応答信号をアンテナ２０４ｅから送信する。このとき、記録装置１０に保持されていない他の電子ペーパ２０のＲＦＩＤタグ２０４は、アンテナ２０３の通信範囲外になり、アンテナ２０３から送信された要求信号を受信しないから、ＲＦＩＤリーダライタ部１５０において、他の電子ペーパ２０のＲＦＩＤタグ２０４に係る応答信号を取得することは無い。以上が、記録装置１０および電子ペーパ２０の動作についての説明である。
【００５５】
以上、本発明の実施形態について説明したが、本発明は以下のように、さまざまな形態で実施可能である。
【００５６】
＜変形例１＞
上述した実施形態においては、電圧印加部１３０から透明電極２２０、２６０に至る経路の電極１３１、２０１の組と、そしてＲＦＩＤリーダライタ部１５０からアンテナ２０３に至る経路の電極１５１、２０２の組とをそれぞれ別個に設けて実施したが、それを共通化して１組の電極１３１ａ、２０１ａとしてもよい。この場合における記録装置１０および電子ペーパ２０の構成について、図７、図８を用いて説明する。
【００５７】
図７は、本変形例に係る記録装置１０Ａの構成を示すブロック図である。図７に示すように記録装置１０Ａは、電圧印加部１３０およびＲＦＩＤリーダライタ部１５０と接続する電極１３１ａを有する。電極１３１ａは、実施形態における電極１３１と電極１５１を共通化したものである。他の構成については、実施形態と異なるものではないため説明を省略する。
【００５８】
図８は、本変形例に係る電子ペーパ２０Ａの構成を示すブロック図である。図８に示しように、電子ペーパ２０は、電極２０１ａおよび各電極２０１ａとアンテナ２０３とを電気的に接続する経路上にＨＰＦ（ハイパスフィルタ）２０７を有する。電極２０１ａは、実施形態における電極２０１、２０２を共通化したものである。また、ＨＰＦ２０７は、高周波数帯域の信号を通過させるフィルタである。
【００５９】
電圧印加部１３０が発生するリセット電圧、記録電圧は、直流信号を含む低周波数帯域の信号が用いられ、ＲＦＩＤリーダライタ部１５０が発生する信号などアンテナ２０３において送受信される信号は高周波数帯域の信号である。したがって、このＨＰＦ２０７によって、印加電圧の低周波数帯域の信号については、アンテナ２０３により短絡されることを防ぐ。なお、透明電極２２０、２６０間に印加される電圧にアンテナ２０３において送受信される信号が含まれないようにする場合には、電極２０１ａと透明電極２２０、２６０とを電気的に接続する経路上に低周波数帯域の信号を通過させるローパスフィルタを設ければよい。
【００６０】
＜変形例２＞
上述した実施形態においては、アンテナ２０３を金属により形成していたが、電子ペーパ２０の透明電極２２０、透明電極２６０、または透明電極２２０、２６０双方を用いて構成してもよい。
【００６１】
＜変形例３＞
上述した変形例１においては、リセット電圧、記録電圧がアンテナにより短絡することを防ぐために、ＨＰＦ２０７を用いていたが、ＨＰＦ２０７を用いずに、短絡を防ぐようにした電子ペーパ２０Ｂとしてもよい。この場合は、例えば、図９に示すように、電子ペーパ２０Ｂは、アンテナ２０３の一端と表示部２０５の透明電極２６０とを電気的に接続し、アンテナ２０３の他の一端と、表示部２０５の透明電極２２０とを光導電体２０８を介して電気的に接続するようにすればよい。ここで、図９においては、電極２０１ａと表示部２０５に係る透明電極２２０、２６０との接続については記載を省略している。
【００６２】
光導電体２０８は照射される光の強度に応じてその導電率が上昇する導電体であって、例えば有機光導電体などである。すなわち、光を照射しなければ高い抵抗値を示して絶縁体に近い状態となり、光を照射すると抵抗値が低下して導電体となる部材である。この例においては、記録光源１４１から照射する光により抵抗値が低下する構成とした。なお、光導電層２３０と同じ材料であってもよい。
【００６３】
この場合における記録装置１０Ｂの構成を説明する。記録装置１０Ｂに電子ペーパ２０を保持したときに光導電体２０８の位置に対応する部分の筐体１０１ａに透明板１０３を設ける。そして、ＲＦＩＤリーダライタ部１５０を動作させてアンテナ２０３から信号の送受信をさせるときに、制御部１１０は、記録光源１４１をＡＲ２方向に移動制御して、透明板１０３を介して記録光源１４１からの記録光１４１ａを光導電体２０８に照射させる。したがって、光導電体２０８に記録光１４１ａは照射されていないとき、例えば、画像の記録、初期化を行うとき（記録面２０ｂに記録光１４１ａを照射しているとき）には、２つの電極２０１ａ間には、高抵抗な光導電体２０８により短絡を防いだ状態で電圧が印加される。ここで、例えば、ＲＦＩＤタグ２０４への情報記録において、記録光源１４１を光導電体２０８への光照射位置へ移動を行うときには、その前に電子ペーパ２０の表示部２０５に対する画像の記録処理を行い、画像記録処理後に、記録光源１４１を光導電体２０８への光照射位置に移動させるようにするとよい。
【００６４】
なお、記録光源１４１を使って光導電体２０８に記録光１４１ａを照射するのではなく、図示しない光導電体２０８への光照射のための光源を設けて照射してもよい。また、透明板１０３は前述した透明板１０２と同じく、例えば記録光１４１ａを低損失で通過させ、光の歪みの少ない物性を有する光学ガラスや透明樹脂などで構成すればよい。また、アンテナ２０３は、変形例２に示したように、透明電極２６０を用いて形成してもよい。
【図面の簡単な説明】
【００６５】
【図１】実施形態に係る電子ペーパの構成を示すブロック図である。
【図２】実施形態に係る通信装置の断面の構成を示す図である。
【図３】実施形態に係るＲＦＩＤタグの構成を示すブロック図である。
【図４】実施形態に係る表示部の断面の構成を示す図である。
【図５】実施形態に係る記録装置の構成を示すブロック図である。
【図６】実施形態に係る記録装置を側面から見た内部構成を示す図である。
【図７】変形例１に係る記録装置の構成を示すブロック図である。
【図８】変形例１に係る電子ペーパの構成を示すブロック図である。
【図９】変形例３に係る記録装置および電子ペーパの構成を説明する図である。
【符号の説明】
【００６６】
１０，１０Ａ，１０Ｂ…記録装置、１０１ａ，１０１ｂ…筐体、１０２，１０３…透明板、１１０…制御部、１２０…記憶部、１３０…電圧印加部、１３１，１３１ａ…電極、１４０…記録光発生部、１４１…記録光源、１４１ａ…記録光、１５０…ＲＦＩＤリーダライタ部、１５１…電極、１６０…情報取得部、１７０…バス、２０…電子ペーパ、２１…表示装置、２２…通信装置、２０ａ…表示面、２０ｂ…記録面、２０１，２０１ａ…電極、２０２…電極、２０３…アンテナ、２０４…ＲＦＩＤタグ、２０４ａ…制御部、２０４ｂ…記憶部、２０４ｃ…送受信部、２０４ｄ…電源部、２０４ｅ…アンテナ、２０２ｆ…バス、２０５…表示部、２０６…フレーム、２０７…ＨＰＦ、２０８…光導電体、２１０、２７０…フィルム基板、２２０、２６０…透明電極、２３０…光導電層、２４０…着色層、２５０…表示層
【図１】
2010118013.tif 000003
【図２】
2010118013.tif 000004
【図３】
2010118013.tif 000005
【図４】
2010118013.tif 000006
【図５】
2010118013.tif 000007
【図６】
2010118013.tif 000008
【図７】
2010118013.tif 000009
【図８】
2010118013.tif 000010
【図９】
2010118013.tif 000011